(57)【要約】【課題】モータを用いてシートクッションを前後方向に移動させつつも、電力を必要としない固定機構を利用してスライドレールの移動を抑制すること。【解決手段】シートクッション２を前後に移動可能とするスライドレール５と、シートクッションを前後に移動させるために使用されるモータ７１と、スライドレールの動きを抑制可能な固定機構８を備え、前記スライドレールはロアレール５１と、前記ロアレールに対して摺動可能なアッパレール５２とを備えており、前記固定機構は、前記ロアレールに設けられた係止孔に嵌ることにより前記ロアレールに対する前記アッパレールの移動を抑制することが可能な係止部８１と、前記係止部を操作可能な操作レバー８３と、を備えており、前記操作レバーを動かす力を前記係止部に伝えることで、前記係止部が前記係止孔に嵌った状態を解除することが可能となる乗物用シートとする。【選択図】図１
2015217872.tif 000002
【特許請求の範囲】
【請求項１】
シートクッションと、前記シートクッションを前後に移動可能とするスライドレールと、シートクッションを前後に移動させるために使用されるモータと、スライドレールの動きを抑制可能な固定機構を備えた乗物用シートであって、
前記スライドレールはフロアに固定されるロアレールと、前記ロアレールに対して摺動可能なアッパレールとを備えており、
前記固定機構は、前記ロアレールに設けられた係止孔に嵌ることにより前記ロアレールに対する前記アッパレールの移動を抑制することが可能な係止部と、前記係止部を操作可能な操作レバーと、を備えており、
前記操作レバーを動かす力を前記係止部に伝えることで、前記係止部が前記係止孔に嵌った状態を解除することが可能となる乗物用シート。
【請求項２】
請求項１に記載の乗物用シートであって、
前記操作レバーを前記係止部が前記係止孔に嵌った状態を解除する位置を越えた所定の状態まで動かすことにより、前記シートクッションを前後に移動可能であるとともに、前記操作レバーには、前記シートクッションが移動する方向を選択可能な選択手段が備えられている乗物用シート。
【請求項３】
請求項１または２に記載の乗物用シートであって、
前記シートクッションの動きを制御可能な制御手段と、前記係止部がロアレールに当接する方向に動くように付勢可能な付勢手段と、を備えており、
前記制御手段が前記モータの動きをコントロールすることにより、前記係止部がロアレールに当接していない状態から当接した状態に変化した後における所定の間、アッパレールを動かそうとする力を生じさせることが可能となる乗物用シート。
【請求項４】
請求項３に記載の乗物用シートであって、
前記制御手段がモータの動きをコントロールすることにより、前記所定の間の少なくとも一部の時間は、前記所定の間より前にアッパレールが動いていた方向と逆方向にアッパレールを動かそうとする力を生じさせることが可能となる乗物用シート。
【発明の詳細な説明】
【技術分野】
【０００１】
本発明は、乗物用シートに関する。詳しくは、モータを利用してシートクッションを前後方向に移動させることが可能な乗物用シートに関する。
【背景技術】
【０００２】
従来から、シートクッションを前後方向に移動させることが可能なようにスライドレールを設けることは広く知られている。また、特許文献１に開示されているように、電動のモータを利用してシートクッションを前後に移動させることが可能な乗物用シートも知られている。
【先行技術文献】
【特許文献】
【０００３】
【特許文献１】特開２００４−３３０９４０号公報
【発明の概要】
【発明が解決しようとする課題】
【０００４】
特許文献１に記載されている乗物用シートであると、スライドレールの移動を抑制するために使用される固定機構を動かすためにも電気的な制御が必要となり、構造的に複雑となる。また、重量や必要となる空間が増加しうるものでもあった。
【０００５】
本発明は、上記した点に鑑みて創案されたものであって、本発明が解決しようとする課題は、モータを用いてシートクッションを前後方向に移動させつつも、電力を必要としない固定機構を利用してスライドレールの移動を抑制することにある。
【課題を解決するための手段】
【０００６】
上記課題を解決するために、本発明は次の手段をとる。先ず、第１の発明は、シートクッションと、前記シートクッションを前後に移動可能とするスライドレールと、シートクッションを前後に移動させるために使用されるモータと、スライドレールの動きを抑制可能な固定機構を備えた乗物用シートであって、前記スライドレールはフロアに固定されるロアレールと、前記ロアレールに対して摺動可能なアッパレールとを備えており、前記固定機構は、前記ロアレールに設けられた係止孔に嵌ることにより前記ロアレールに対する前記アッパレールの移動を抑制することが可能な係止部と、前記係止部を操作可能な操作レバーと、を備えており、前記操作レバーを動かす力を前記係止部に伝えることで、前記係止部が前記係止孔に嵌った状態を解除することが可能となる乗物用シートである。
【０００７】
この第１の発明によれば、前記ロアレールに対する前記アッパレールの移動は動力源であるモータを利用して行うことが可能であるとともに、アッパレールの移動を抑制可能な固定機構の操作を、電気を利用せずに行うことが可能である。したがって、シートクッションを前後移動させる際に、乗員がシートクッションを押圧する必要性が無いうえに、比較的簡素な構成とすることが可能となり得る。
【０００８】
第２の発明は、第１の発明において、前記操作レバーを前記係止部が前記係止孔に嵌った状態を解除する位置を越えた所定の状態まで動かすことにより、前記シートクッションを前後に移動可能であるとともに、前記操作レバーには、前記シートクッションが移動する方向を選択可能な選択手段が備えられている乗物用シート。
【０００９】
この第２の発明によれば、アッパレールを移動させるために必要な操作を操作レバーに集約することができる。したがって、アッパレールを移動させる操作をすることが容易となり得る。
【００１０】
第３の発明は、第１または第２の発明において、前記シートクッションの動きを制御可能な制御手段と、前記係止部がロアレールに当接する方向に動くように付勢可能な付勢手段と、を備えており、前記制御手段が前記モータの動きをコントロールすることにより、前記係止部がロアレールに当接していない状態から当接した状態に変化した後における所定の間、アッパレールを動かそうとする力を生じさせることが可能となる乗物用シートである。
【００１１】
この第３の発明によれば、一時的に係止部が係止孔に嵌らない状態となった場合も、係止部が係止孔に嵌る状態を確保しやすくなり得る。したがって、係止部により、ロアレールに対するアッパレールの移動を抑制することが適切に行われるようになり得る。
【００１２】
第４の発明は、第３の発明において、前記制御手段がモータの動きをコントロールすることにより、前記所定の間の少なくとも一部の時間は、前記所定の間より前にアッパレールが動いていた方向と逆方向にアッパレールを動かそうとする力を生じさせることが可能となる乗物用シートである。
【００１３】
この第４の発明によれば、一時的に係止部が係止孔に嵌らない状態となった場合も、係止部が係止孔に嵌る状態をより効果的に確保しやすくなり得る。したがって、係止部により、ロアレールに対するアッパレールの移動を抑制することが適切に行われるようになり得る。
【発明の効果】
【００１４】
本発明によれば、モータを用いてシートクッションを前後方向に移動させつつも、電力を必要としない固定機構を利用してスライドレールの移動を抑制することが可能となる。
【図面の簡単な説明】
【００１５】
【図１】本発明の乗物用シートの斜視図である。
【図２】本発明の乗物用シートが前後方向に移動している状態を示した概念図である。
【図３】本発明の乗物用シートの側面図である。
【図４】実施例における枠部周りの縦断面図である。
【図５】二つの係止部が係止孔に嵌っていない状態から、嵌る状態としたことを示す図である。
【図６】一つの係止部が係止孔に嵌っていない状態であったものを、係止部を前側に移動させることで、係止孔に嵌る状態としたことを示す図である。
【図７】一つの係止部が係止孔に嵌っていない状態であったものを、係止部を後側に移動させることで、係止孔に嵌る状態としたことを示す図である。
【発明を実施するための形態】
【００１６】
以下に、本発明を実施するための形態について、適宜図面を用いながら説明する。なお、本明細書における前後方向、上下方向、左右方向などの方向は、図１などに示したＸが前方向、Ｙが左方向、Ｚが上方向と規定される。例えば、通常、着座者が着座した際に視界に入るほうが前方で、視界に入らない後頭部側が後方となる。
【００１７】
本実施の形態における乗物用シート１は、特に三列シートの車両のセカンドシートに適用されるものである。乗物用シート１は、着座した乗員の大腿部と対向することになる支持面を備えるシートクッション２と、シートクッション２に対して傾動可能に取り付けられているシートバック３とを備えている。シートバック３はリクライニングレバー９を操作することにより、傾きを調整することができるものである。シートクッション２は、スライドレール５と固定されており、スライドレール５はフロアブラケット１９を介して乗物のフロアＦに固定されている。スライドレール５はフロアＦに固定されるロアレール５１と、シートクッション２に固定されるアッパレール５２を備えている。アッパレール５２とロアレール５１は摺動可能に構成されており、シートクッション２を前後方向にスライドさせることが可能に構成されている。なお、本明細書においては、ロアレール５１のようにフロアＦに対して移動不能に取り付けられている部位を固定部位と呼ぶことにする。また、アッパレール５２のようにフロアＦに対して移動可能に取り付けられている部位を可動部位と呼ぶことにする。
【００１８】
本実施の形態の乗物用シート１には、シートクッション２を前後方向に移動させることを可能とする駆動機構７が備えられている。駆動機構７はモータ７１を含むものであり、モータ７１により発生した動力を用いてアッパレール５２を動かすことで、シートクッション２を前後方向に移動させることが可能なものである。
【００１９】
また、スライドレール５の動きを抑制可能な固定機構８を備えている。前記固定機構８は、前記ロアレール５１に設けられた係止孔８２に嵌ることにより前記ロアレール５１に対する前記アッパレール５２の移動を抑制することが可能な係止部８１と、前記係止部８１を操作可能な操作レバー８３と、前記係止部８１と、前記操作レバー８３との間に介在する連結機構８４を備えている。前記連結機構８４は前記操作レバー８３と前記係止部８１とを機械的につなぐものであり、操作レバー８３に加えた力を係止部８１に伝達し、係止部８１を動かすことを可能とするものである。実施の形態においては、操作レバー８３を動かすことにより、前記係止部８１が前記ロアレール５１に嵌った状態を解除することが可能なものとなっている。
【００２０】
本実施の形態の乗物用シート１は、シートクッション２を移動させることが可能な駆動機構７を備えている。当該駆動機構７には動力源であるモータ７１が備えられており、当該モータ７１によりもたらされる動力を用いてシートクッション２の移動を可能としている。特に、本実施の形態の乗物用シート１は、アッパレール５２を移動させる動力の動力源としてモータ７１を利用している。モータ７１は図示しない制御手段に接続されており、当該制御手段により制御することが可能である。より具体的には、制御手段を用いて、モータ７１の起動や停止をコントロールすることや、モータ７１の回転軸（図示せず）の回転方向をコントロールすることなどが可能である。なお、制御手段には各種検知部の検知信号を利用して、機械の動きを制御可能な制御装置４３を備えている。
【実施例】
【００２１】
次に、乗物用シート１の実施例について詳しく説明する。実施例の乗物用シート１は、動力源を電動のモータ７１としており、モータ７１に連結したプーリ７２によりワイヤ７３を巻き取ることが可能な構成である。ワイヤ７３の一端は可動部位の一部であるプーリ７２に固定されており、他端は固定部位の一部であるロアレール５１に固定されている。モータ７１及びプーリ７２は可動部位に固定されているため、プーリ７２により、ワイヤ７３が巻き取られると、アッパレール５２に力が働くことになる。この力により、アッパレール５２はロアレール５１に対して移動可能に構成されている。なお、実施例の駆動機構７は、上記モータ７１と、プーリ７２と、ワイヤ７３により構成されている。
【００２２】
実施例においては、一本のロアレール５１に二本のワイヤ７３が固定されている。一方のワイヤ７３は、ロアレール５１の前端側とプーリ７２を接続する前側ワイヤ７３１であり、もう一方のワイヤ７３は、ロアレール５１の後端側とプーリ７２を接続する後側ワイヤ７３２である。プーリ７２により巻き取るワイヤ７３は、いずれか一方であるが、巻き取られなかった側のワイヤ７３は、プーリ７２から繰り出されることになり、シートクッション２の移動の妨げになることは無い。
【００２３】
実施例のモータ７１は、図示しない回転軸の回転方向を切り替え可能である。また、モータ７１の回転軸の回転方向を変えることでプーリ７２の回転方向を切り替えることが可能に構成されている。実施例の駆動機構７では、プーリ７２の回転方向を選択することにより、前側ワイヤ７３１を巻き取るか、後側ワイヤ７３２を巻き取るかを選択することが可能となる。したがって、プーリ７２の回転方向により、シートクッション２の移動方向が定められている（図２参照）。実施例においては、プーリ７２の回転が正転の場合、シートクッション２が前進するようにアッパレール５２に力をかけることが可能である。プーリ７２の回転が逆転の場合、シートクッション２が後進するようにアッパレール５２に力をかける事が可能である。
【００２４】
実施例における乗物用シート１は、ロアレール５１とアッパレール５２を所定の位置で固定する固定機構８を備えている。当該固定機構８はロアレール５１に設けられた係止孔８２と、係止孔８２に対して進退可能な係止部８１と、係止部８１を動かすことが可能な操作レバー８３と、操作レバー８３と、係止部８１との間に介在し、選択手段１７と係止部８１とを連結する連結機構８４を備えている。前記操作レバー８３を回転させるように動かすと、係止部８１を動かすことができるように構成されている（図３、図４参照）。特に、操作レバー８３の端部が上方に移動するように動かすことで、係止部８１を係止孔８２から抜き出すことが可能に構成されている。なお、係止部８１には図示しない付勢手段により付勢力が働くように構成されている。当該付勢手段は係止部８１がロアレール５１と係止する状態を維持しようとするものである。したがって、実施例の固定機構８は、当該付勢力に抗して操作レバー８３を動かすと、係止部８１を移動させることができるものである。また、操作レバー８３から手を離すと、当該付勢力により、係止部８１は、ロアレール５１に当接するように移動するものである。
【００２５】
実施例においては、係止部８１が係止孔８２から抜き出され、所定の位置まで移動したことを検知するために使用されるロック解除検知部１１が設けられている（図４参照）。当該ロック解除検知部１１は、検出スイッチの一種であるリミットスイッチを用いて構成されている。リミットスイッチには移動可能なアクチュエータ１１ａが備えられており、当該アクチュエータ１１ａが係止部８１により押圧されて移動することにより、係止部８１が所定の位置まで移動したことが検知可能な構成である。
【００２６】
実施例においては、シートクッション２の進行方向を選択可能な選択手段１７が備えられている。当該選択手段１７は操作レバー８３の上面側に取り付けられている。特に、操作レバー８３の前側の部分に選択手段１７が取り付けられており、操作レバー８３を握りながら、選択手段１７を親指で操作可能となっている。
【００２７】
実施例の選択手段１７は、ロッカースイッチやシーソースイッチといわれる、スイッチである。このスイッチは二つの選択肢のいずれかを選択するために使用されるスイッチであり、実施例においては、シートクッション２を動かす方向を前方とするのか後方とするのかの、いずれかを選択するために使用される。ただし、このスイッチを選択するだけでは、シートクッション２は移動せず、通常は、ロック解除検知部１１がロック解除したことを検知することにより、選択手段１７で選択した方向に向けてシートクッション２が移動するように構成されている。上記した構成のため、操作レバー８３を所定の位置まで動かすと、選択手段１７で選択した方向に向けてシートクッション２を移動させることが可能となる（図３参照）。
【００２８】
実施例の操作レバー８３は図示しない付勢手段から付勢力を受けることにより、元の位置に戻ろうとするものである。このため、動かしていた操作レバー８３に加えた力を緩めると、係止部８１がロアレール５１に向かって移動することになる。ところで、係止孔８２はロアレール５１に対して所定の間隔で複数個設けられているものである（図５〜７参照）。したがって、係止部８１がロアレール５１に向かって動いても、係止孔８２に嵌らない場合がありうる。
【００２９】
図５においては、左右両側に配置したスライドレール５，５の各々に設けた係止部８１，８１が、双方ともに係止孔８２，８２に嵌っていない状態を二点鎖線で示している。このような場合、係止部８１，８１をいずれか一方に動かすことにより、係止部８１，８１が係止孔８２，８２に嵌った状態とすることが可能となり得る。図５においては、係止部８１，８１を前方に移動させることで、係止部８１，８１が係止孔８２，８２に嵌るように調整したことを表している。この間も、係止部８１，８１は付勢手段から付勢力を受けている。このため、係止部８１，８１を前方に移動させると、所定箇所で係止部８１，８１が係止孔８２，８２に嵌るように動くことになる。
【００３０】
図６及び図７においては、左右両側に配置したスライドレール５，５の各々に設けた係止部８１，８１のうち片方だけが係止孔８２に嵌っていない状態を二点鎖線で示している。乗物用シート１の製造時に生じる若干のずれなどに起因して、このような事象が生じうる。このような場合でも、係止部８１をいずれか一方に動かすように力を加えることにより、係止部８１が係止孔８２に嵌った状態とすることが可能となり得る。図６においては、係止部８１を前方に移動させることで、係止部８１が係止孔８２に嵌るように調整したことを表している。図７においては、係止部８１を後方に移動させることで、係止部８１が係止孔８２に嵌るように調整したことを表している。
【００３１】
例えば、図６に二点鎖線で示したように係止部８１が係止孔８２に嵌っていない場合、係止部８１を後方に移動させても、係止部８１を係止孔８２に嵌められない場合がありうる。同様に、図７に二点鎖線で示したように係止部８１が係止孔８２に嵌っていない場合、係止部８１を前方に移動させても、係止部８１を係止孔８２に嵌められない場合がありうる。どちらの状態が生じている場合でも、係止部８１を前方と後方のそれぞれに移動させるように力を加えれば、係止部８１が係止孔８２に嵌っていない状態を回避しうる。
【００３２】
このようなことを可能とするために、実施例においては、ロック解除検知部１１を利用して制御手段により制御する。実施例においては、操作レバー８３を動かすために加えた力を緩めると係止部８１が動き、ロック解除検知部１１が検知できない状態とすることが可能である。ロック解除検知部１１が検知しなくなった後、所定の間モータ７１が回転した後にモータ７１が停止し、シートクッション２が停止する構成としている。より具体的には、ロック解除検知部１１が検知しなくなった後、一定時間モータ７１を正転させ、その後、同じ時間モータ７１を逆転させるように制御装置４３で制御している。これにより一定時間はアッパレール５２を前方に動かすように力を加え、その後アッパレール５２を後方に動かすように力を加えるものである。なお、係止部８１が係止孔８２に嵌った時点で、アッパレール５２は移動できなくなるが、アッパレール５２が移動できるかどうかに関わらず、力を加えるように制御している。
【００３３】
実施例においては、ロック解除検知部１１が検知しなくなった後のモータ７１の動きは、選択手段１７による選択方向に関わらず、一定としている。つまり、ロック解除検知部１１が検知している際にアッパレール５２を前進させてシートクッション２を動かしていた場合でも後進させて動かしていた場合でも、ロック解除検知部１１が検知しなくなった後の一定時間はアッパレール５２を前進させるように力を加え、その後の一定時間はアッパレール５２を後進させるように力を加えるように制御するものである。このため、操作レバー８３を動かすために加えた力を緩めることにより、所望の位置に近い位置で係止部８１が係止孔８２に嵌った状態でシートクッション２の動きを停止することが可能な構成となっている。
【００３４】
アッパレール５２の摺動範囲は定められている。そのため、アッパレール５２が所定箇所に到達した場合、アッパレール５２の摺動を停止する必要性がある。実施例においては、アッパレール５２が前端位置に到達したことを検知可能な前端検知部１４と、アッパレール５２が後端位置に到達したことを検知可能な後端検知部１５とを備えている。前端検知部１４及び後端検知部１５はリミットスイッチを用いて形成されている。リミットスイッチはアッパレール５２に付設されており、ロアレール５１にはリミットスイッチと当接可能な位置に凸部４９を設けている。モータ７１が動き、アッパレール５２が移動した乗物用シート１は、アッパレール５２に付設されたリミットスイッチがロアレール５１に設けられた凸部４９に当接することにより、停止させることが可能となる。
【００３５】
上記実施の形態の乗物用シート１は、シートクッション２と、前記シートクッション２を前後に移動可能とするスライドレール５と、シートクッション２を前後に移動させるために使用されるモータ７１と、スライドレール５の動きを抑制可能な固定機構８を備えた乗物用シート１であって、前記スライドレール５はフロアに固定されるロアレール５１と、前記ロアレール５１に対して摺動可能なアッパレール５２とを備えており、前記固定機構８は、前記ロアレール５１に設けられた係止孔８２に嵌ることにより前記ロアレール５１に対する前記アッパレール５２の移動を抑制することが可能な係止部８１と、前記係止部８１を操作可能な操作レバー８３と、を備えており、前記操作レバー８３を動かす力を前記係止部８１に伝えることで、前記係止部８１が前記係止孔８２に嵌った状態を解除することが可能となる乗物用シート１である。このため、前記ロアレール５１に対する前記アッパレール５２の移動は動力源であるモータ７１を利用して行うことが可能であるとともに、アッパレール５２の移動を抑制可能な固定機構８の操作を、電気を利用せずに行うことが可能である。したがって、シートクッション２を前後移動させる際に、乗員がシートクッション２を押圧する必要性が無いうえに、比較的簡素な構成とすることが可能となり得る。
【００３６】
また、実施の形態の乗物用シート１は、操作レバー８３を前記係止部８１が前記係止孔８２に嵌った状態を解除する位置を越えた所定の状態まで動かすことにより、前記シートクッション２を前後に移動可能であるとともに、前記操作レバー８３には、前記シートクッション２が移動する方向を選択可能な選択手段１７が備えられている乗物用シート１である。このため、アッパレール５２を移動させるために必要な操作を操作レバー８３に集約することが可能となり得る。したがって、アッパレール５２を移動させる操作をすることが容易となり得る。
【００３７】
また、実施の形態の乗物用シート１は、シートクッション２の動きを制御可能な制御手段と、前記係止部８１がロアレール５１に当接する方向に動くように付勢可能な付勢手段と、を備えており、前記制御手段が前記モータ７１の動きをコントロールすることにより、前記係止部８１がロアレール５１に当接していない状態から当接した状態に変化した後における所定の間、アッパレール５２を動かそうとする力を生じさせることが可能となる乗物用シート１である。このため、一時的に係止部８１が係止孔８２に係合しない状態となった場合も、係止部８１が係止孔８２に係合した状態を確保しやすくなり得る。したがって、係止部８１により、ロアレール５１に対するアッパレール５２の移動を抑制することが適切に行われるようになり得る。
【００３８】
また、実施の形態の乗物用シート１は、前記制御手段がモータ７１の動きをコントロールすることにより、前記所定の間の少なくとも一部の時間は、前記所定の間より前にアッパレール５２が動いていた方向と逆方向にアッパレール５２を動かそうとする力を生じさせることが可能となる乗物用シート１である。このため、一時的に係止部８１が係止孔８２に係合しない状態となった場合も、係止部８１が係止孔８２に係合した状態をより効果的に確保しやすくなり得る。したがって、係止部８１により、ロアレール５１に対するアッパレール５２の移動を抑制することが適切に行われるようになり得る。
【００３９】
また、実施の形態の乗物用シート１は、ワイヤ７３を巻き取ることで、アッパレール５２を移動させる構成であるため、ロングスライドレールのような比較的長いスライドレール５にも適用可能である。また、作動音を抑えることが可能となり、静粛性を向上させることが可能である。
【００４０】
また、実施の形態の乗物用シート１に使用されているスライドレール５は、モータ７１で動かさない形式のスライドレール５としても使用可能であるため、製造工程の煩雑さを回避しうる。
【００４１】
また、操作レバー８３がシートクッション２の側部の略中央に付設されているため、着座した乗員にとっては、操作レバー８３の操作をすることが比較的容易に可能となる。
【００４２】
以上、一つの実施の形態を用いて説明したが、本発明は、上記実施形態のほか、その他各種の形態で実施可能なものである。例えば、検知部は、リミットスイッチであることに限らず、近接センサなど、他の検知手段を採用することが可能である。
【００４３】
また、シートクッションを動かすためには、プーリにワイヤを巻きつけるものである必要性はない。例えば、スライドレールと平行に延びるネジ部とネジ部に取り付けられるナット部を用意し、ネジ部若しくはナット部をモータから伝達される動力により回転させる構成とすることも可能である。
【００４４】
また、選択手段のスイッチは、前進若しくは後進のいずれかを選択するものだけに限らない。例えば、進行方向を選択していない状態を選べるものとすることも可能である。
【００４５】
また、制御装置は、乗物用シートだけを制御する制御装置である必要性はない。例えば、乗物の他の装置を制御することを兼ねたものであっても良い。また、制御装置は、乗物用シートに固定されているものであっても良いし、乗物用シートを取り付ける車体などに固定されているものであっても良い。
【００４６】
本発明は、三列シートの乗物に適用するのみでなく、二列シートの乗物や、それ以外の乗物に適用することも可能である。また、本発明の乗物用シートの後方に配置されるシートに隣接して扉が設けられる乗物に適用されるものであっても良い。
【００４７】
また、ワイヤはプーリに対して二本取り付ける構成とする必要性はない。一本のワイヤの中間位置でプーリに固定する構成とすることなども可能である。
【００４８】
また、操作レバーは、シートクッションの側部に付設されている必要性はなく、シートクッションの前側に付設することなども可能である。
【００４９】
また、連結機構は、係止部と操作レバーだけをつなぐものに限らない。例えば、係止部と操作レバーとリクライニングレバーとをつなぐものとすることも可能である。このような構成とすれば、リクライニングレバーを操作しても係止部を移動させることが可能となり得る。
【００５０】
また、ロック解除検知部が検知しなくなった後、所定の間モータを動かす制御の方法としては、前方向に動かす時間も後方向に動かす時間も同じとするように制御する必要性はない。例えば、どちらか一方に向けてより長い時間動かすように制御することも可能である。また、あらかじめ定められて時間とするだけに限られない。例えば、所定の電流値となるまで動かすものであっても良い。
【００５１】
ロック解除検知部が検知しなくなった後、所定の間モータを動かす制御の方法としては、アッパレールを前方に移動するような力を発生させた後に後方に移動するような力を発生させる必要性はない。例えば、その逆であっても良い。また、所定の時間となる前に動いていた進行方向にしばらく動かした後に、その逆方向に動かすように制御することも可能である。
【００５２】
また、所定の間モータを動かす制御は、ロック解除検知部からの信号をもとに制御する必要性はない。例えば、係止部がロアレールと当接する位置まで動いたことが確認できる検知手段を別途設け、その検知手段からの信号をもとに制御することなども可能である。
【００５３】
また、乗物としては、車両であることに限らず、飛行機やヘリコプターなど空中を飛行する乗物や、船舶や潜水艇など海面や海中などを移動する乗物としてもよい。
【符号の説明】
【００５４】
１      乗物用シート
２      シートクッション
３      シートバック
５      スライドレール
８      固定機構
１１    ロック解除検知部
１７    選択手段
５１    ロアレール
５２    アッパレール
７１    モータ
８１    係止部
８２    係止孔
８３    操作レバー
【図１】
2015217872.tif 000003
【図２】
2015217872.tif 000004
【図３】
2015217872.tif 000005
【図４】
2015217872.tif 000006
【図５】
2015217872.tif 000007
【図６】
2015217872.tif 000008
【図７】
2015217872.tif 000009